(57)【特許請求の範囲】
【請求項１】
放射線画像処理装置であって、
被検体を撮影するための撮影情報を指定する指定手段と、
前記指定された撮影情報に対応する撮影により得られる放射線画像を前記撮影情報に対応する画像処理条件で画像処理して処理後画像を取得する画像処理手段と、
前記指定された撮影情報と前記処理後画像とを表示部に表示させる表示制御手段と、
操作部への操作入力により前記放射線画像に対応する前記撮影情報がその他の撮影情報に変更されることに応じて、前記その他の撮影情報に対応するその他の画像処理条件で前記放射線画像を前記画像処理手段に画像処理させることにより得られるその他の処理後画像を取得し、かつ前記表示制御手段により前記その他の処理後画像を前記表示された前記処理後画像に代えて表示させる制御手段と、
を有することを特徴とする放射線画像処理装置。
【請求項２】
前記指定手段は、操作部への操作入力に応じて前記撮影情報を指定する
ことを特徴とする請求項１に記載の放射線画像処理装置。
【請求項３】
前記撮影情報および前記その他の撮影情報は、撮影部位の種類及び撮影方向の種類の情報を含む
ことを特徴とする請求項１または２に記載の放射線画像処理装置。
【請求項４】
前記指定手段は、放射線センサにより被検体を撮影するための撮影情報を指定し、
前記表示部の表示画面に対する操作入力に応じて前記放射線センサを制御する撮影制御手段を更に有する
ことを特徴とする請求項１乃至３のいずれか１項に記載の放射線画像処理装置。
【請求項５】
前記表示制御手段は、前記指定された撮影情報と、前記処理後画像と、前記指定された撮影情報を変更するための操作入力を受け付けるアイコンと、を前記表示部の表示画面に表示させ、
前記制御手段は、前記表示画面に対する操作入力により前記放射線画像に対応する前記撮影情報がその他の撮影情報に変更されることに応じて、前記画像処理手段により前記放射線画像に対して、前記その他の撮影情報に対応するその他の画像処理条件で画像処理をさせて、その他の処理後画像を取得する
ことを特徴とする請求項１乃至４のいずれか１項に記載の放射線画像処理装置。
【請求項６】
前記表示制御手段は、前記操作入力により前記放射線画像に対応する前記撮影情報が前記その他の撮影情報に変更されることに応じて、前記表示された撮影情報に代えて前記その他の撮影情報を表示させる
ことを特徴とする請求項１乃至５のいずれか１項に記載の放射線画像処理装置。
【請求項７】
前記表示制御手段は、前記指定された第一の撮影情報と、前記第一の撮影情報に対応する第一の画像処理条件で前記画像処理された第一の画像と、前記第一の画像のサムネイル画像である第一のサムネイル画像と、を前記表示部に表示させ、
前記画像処理手段は、前記操作部への操作入力により前記第一の画像に対応する前記第一の撮影情報が第二の撮影情報に変更されることに応じて、前記第一の画像を前記第二の撮影情報に対応する第二の画像処理条件で画像処理をして第二の画像を取得し、
前記表示制御手段は前記第二の画像のサムネイル画像である第二のサムネイル画像を前記第一のサムネイル画像に代えて表示させる
ことを特徴とする請求項１乃至６のいずれか１項に記載の放射線画像処理装置。
【請求項８】
放射線画像処理装置であって、
被検体を撮影するための撮影情報を指定する指定手段と、
前記指定手段により指定される第一の撮影情報に対応する撮影により得られる放射線画像を前記第一の撮影情報に対応する第一の画像処理条件で画像処理する画像処理手段と、
前記指定された第一の撮影情報と前記第一の画像処理条件で画像処理された第一の画像とを表示部に表示させる表示制御手段と、
を有し、
操作部への操作入力により前記放射線画像に対応する前記第一の撮影情報が第二の撮影情報に変更されることに応じて、前記画像処理手段は前記放射線画像を前記第二の撮影情報に対応する第二の画像処理条件で画像処理し、
前記表示制御手段は前記第二の画像処理条件で画像処理された第二の画像を前記第一の画像に代えて表示させる
ことを特徴とする放射線画像処理装置。
【請求項９】
放射線撮影システムであって、
放射線を検出する検出手段と、
前記検出された前記放射線に基づいて取得される放射線画像の画像処理を行う放射線画像処理装置と、を有し、
前記放射線画像処理装置は、
被検体を撮影するための撮影情報を指定する指定手段と、
前記指定された撮影情報に対応する撮影により得られる放射線画像を前記撮影情報に対応する画像処理条件で画像処理して処理後画像を取得する画像処理手段と、
前記指定された撮影情報と前記処理後画像とを表示部に表示させる表示制御手段と、
操作部への操作入力により前記放射線画像に対応する前記撮影情報がその他の撮影情報に変更されることに応じて、前記その他の撮影情報に対応するその他の画像処理条件で前記放射線画像を前記画像処理手段に画像処理させることにより得られるその他の処理後画像を取得し、かつ前記表示制御手段により前記その他の処理後画像を前記表示された前記処理後画像に代えて表示させる制御手段と、
を有することを特徴とする放射線撮影システム。
【請求項１０】
放射線撮影システムであって、
放射線を発生させる発生手段と、
前記放射線に基づいて取得される放射線画像の画像処理を行う放射線画像処理装置と、を有し、
前記放射線画像処理装置は、
被検体を撮影するための撮影情報を指定する指定手段と、
前記指定された撮影情報に対応する撮影により得られる放射線画像を前記撮影情報に対応する画像処理条件で画像処理して処理後画像を取得する画像処理手段と、
前記指定された撮影情報と前記処理後画像とを表示部に表示させる表示制御手段と、
操作部への操作入力により前記放射線画像に対応する前記撮影情報がその他の撮影情報に変更されることに応じて、前記その他の撮影情報に対応するその他の画像処理条件で前記放射線画像を前記画像処理手段に画像処理させることにより得られるその他の処理後画像を取得し、かつ前記表示制御手段により前記その他の処理後画像を前記表示された前記処理後画像に代えて表示させる制御手段と、
を有することを特徴とする放射線撮影システム。
【請求項１１】
放射線撮影システムの制御装置であって、
放射線センサにより被検体を撮影するための撮影情報を指定する指定手段と、
前記指定された撮影情報に対応する撮影により得られる放射線画像を前記撮影情報に対応する画像処理条件で画像処理して処理後画像を取得する画像処理手段と、
前記指定された撮影情報と、前記処理後画像と、前記指定された撮影情報を変更するための操作入力を受け付けるアイコンとを表示部の表示画面に表示させる表示制御手段と、
前記表示画面に対する操作入力に応じて前記放射線センサを制御する撮影制御手段と、
前記操作入力により前記放射線画像に対応する前記撮影情報がその他の撮影情報に変更されることに応じて、前記その他の撮影情報に対応するその他の画像処理条件で前記放射線画像を前記画像処理手段に画像処理させることにより得られるその他の処理後画像を取得し、かつ前記表示制御手段により前記その他の処理後画像を前記表示された前記処理後画像に代えて表示させる制御手段と、
を有することを特徴とする放射線撮影システムの制御装置。
【請求項１２】
放射線画像処理装置の制御方法であって、
指定手段が、被検体を撮影するための撮影情報を指定する指定工程と、
画像処理手段が、前記指定された撮影情報に対応する撮影により得られる放射線画像を前記撮影情報に対応する画像処理条件で画像処理して処理後画像を取得する画像処理工程と、
表示制御手段が、前記指定された撮影情報と前記処理後画像とを表示部に表示させる表示制御工程と、
制御手段が、操作部への操作入力により前記放射線画像に対応する前記撮影情報がその他の撮影情報に変更されることに応じて、前記その他の撮影情報に対応するその他の画像処理条件で前記放射線画像を前記画像処理手段に画像処理させることにより得られるその他の処理後画像を取得し、かつ前記表示制御手段により前記その他の処理後画像を前記表示された前記処理後画像に代えて表示させる制御工程と、
を有することを特徴とする放射線画像処理装置の制御方法。
【請求項１３】
放射線撮影システムの制御方法であって、
指定手段が、放射線センサにより被検体を撮影するための撮影情報を指定する指定工程と、
画像処理手段が、前記指定された撮影情報に対応する撮影により得られる放射線画像を前記撮影情報に対応する画像処理条件で画像処理して処理後画像を取得する画像処理工程と、
表示制御手段が、前記指定された撮影情報と、前記処理後画像と、前記指定された撮影情報を変更するための操作入力を受け付けるアイコンとを表示部の表示画面に表示させる表示制御工程と、
撮影制御手段が、前記表示画面に対する操作入力に応じて前記放射線センサを制御する撮影制御工程と、
制御手段が、前記操作入力により前記放射線画像に対応する前記撮影情報がその他の撮影情報に変更されることに応じて、前記その他の撮影情報に対応するその他の画像処理条件で前記放射線画像を前記画像処理手段に画像処理させることにより得られるその他の処理後画像を取得し、かつ前記表示制御手段により前記その他の処理後画像を前記表示された前記処理後画像に代えて表示させる制御工程と、
を有することを特徴とする放射線撮影システムの制御方法。
【請求項１４】
放射線画像処理装置のコンピュータを、
被検体を撮影するための撮影情報を指定する指定手段、
前記指定された撮影情報に対応する撮影により得られる放射線画像を前記撮影情報に対応する画像処理条件で画像処理して処理後画像を取得する画像処理手段、
前記指定された撮影情報と前記処理後画像とを表示部に表示させる表示制御手段、
操作部への操作入力により前記放射線画像に対応する前記撮影情報がその他の撮影情報に変更されることに応じて、前記その他の撮影情報に対応するその他の画像処理条件で前記放射線画像を前記画像処理手段に画像処理させることにより得られるその他の処理後画像を取得し、かつ前記表示制御手段により前記その他の処理後画像を前記表示された前記処理後画像に代えて表示させる制御手段、
として機能させるためのプログラム。
【請求項１５】
放射線撮影システムの制御装置のコンピュータを、
放射線センサにより被検体を撮影するための撮影情報を指定する指定手段、
前記指定された撮影情報に対応する撮影により得られる放射線画像を前記撮影情報に対応する画像処理条件で画像処理して処理後画像を取得する画像処理手段、
前記指定された撮影情報と、前記処理後画像と、前記指定された撮影情報を変更するための操作入力を受け付けるアイコンとを表示部の表示画面に表示させる表示制御手段、
前記表示画面に対する操作入力に応じて前記放射線センサを制御する撮影制御手段、
前記操作入力により操作部への操作入力により前記放射線画像に対応する前記撮影情報がその他の撮影情報に変更されることに応じて、前記その他の撮影情報に対応するその他の画像処理条件で前記放射線画像を前記画像処理手段に画像処理させることにより得られるその他の処理後画像を取得し、かつ前記表示制御手段により前記その他の処理後画像を前記表示された前記処理後画像に代えて表示させる制御手段、
として機能させるためのプログラム。
【発明の詳細な説明】
【技術分野】
【０００１】
本発明は、放射線画像処理装置、放射線撮影システム、放射線撮影システムの制御装置、放射線画像処理装置の制御方法、放射線撮影システムの制御方法及びプログラムに関する。
【背景技術】
【０００２】
放射線（例えば、Ｘ線）を用いた撮影に基づく診断や検査が盛んに行なわれている。このような検査等は、複数の撮影プロトコルを含む検査オーダに基づいて進行する。ここで、撮影プロトコルは、例えば、放射線技師等により検査オーダに従って手動で作成され、医師により要求された撮影部位や撮影方法、画像処理の情報等を含む。
【０００３】
ＨＩＳ（Hospital Information System）やＲＩＳ（Radiology Information System）等を用いた病院内のオンライン化が進んでいる。これに伴って、外部で作成された検査オーダを、ネットワークを介して放射線撮影装置へ転送する場合がある。この場合、操作者は、放射線撮影装置の表示部に表示された検査オーダから撮影プロトコルを選択する。すると、当該撮影プロトコルに基づいたパラメータが設定され、当該パラメータに基づいた撮影が行なわれる。
【０００４】
ここで、誤った撮影プロトコルを選択し撮影を行なってしまった場合、パラメータが適切でないため、意図する撮影を行なうことができない。これに対処するため、特許文献１の技術が知られている。
【先行技術文献】
【特許文献】
【０００５】
【特許文献１】特開２００３−２７５１９４号公報
【発明の概要】
【発明が解決しようとする課題】
【０００６】
上述した特許文献１の技術では、既に撮影が済んだ撮影プロトコルを他の撮影プロトコルに変更することができる。しかし、特許文献１の技術は、検査オーダに基づいて検査を進行するような状況は考慮されていないため、予めスケジュールされた撮影プロトコルに変更することはできない。
【０００７】
そのため、検査オーダ内に変更先となる撮影プロトコルが存在している場合であっても、その撮影プロトコルへ変更することはできないため、検査オーダ内に同じ撮影プロトコルが重複して存在してしまう場合がある。また、誤って実施した撮影（撮影プロトコルに基づく撮影）を再度行なう場合、新たにその撮影プロトコルを追加する操作を行なわなければならず、操作手順が煩わしい。
【０００８】
そこで、本発明は、上記課題に鑑みてなされたものであり、検査オーダに基づく撮影の実行時に誤った撮影プロトコルを用いて撮影を行なってしまった場合であっても、容易に対処できるようにした技術を提供することを目的とする。
【課題を解決するための手段】
【０００９】
上記課題を解決するため、本発明の一態様は、放射線画像処理装置であって、
被検体を撮影するための撮影情報を指定する指定手段と、
前記指定された撮影情報に対応する撮影により得られる放射線画像を前記撮影情報に対応する画像処理条件で画像処理して処理後画像を取得する画像処理手段と、
前記指定された撮影情報と前記処理後画像とを表示部に表示させる表示制御手段と、
操作部への操作入力により前記放射線画像に対応する前記撮影情報がその他の撮影情報に変更されることに応じて、前記その他の撮影情報に対応するその他の画像処理条件で前記放射線画像を前記画像処理手段に画像処理させることにより得られるその他の処理後画像を取得し、かつ前記表示制御手段により前記その他の処理後画像を前記表示された前記処理後画像に代えて表示させる制御手段と、
を有することを特徴とする。
【発明の効果】
【００１０】
本発明によれば、検査オーダに基づく撮影の実施時に誤った撮影プロトコルを用いて撮影を行なってしまった場合であっても、容易に対処することができる。これにより、検査オーダに基づく撮影の実行時に誤った撮影プロトコルを用いて撮影を行なってしまった場合であっても、操作者に過度の負担をかけずに済む。
【図面の簡単な説明】
【００１１】
【図１】本発明の一実施の形態に係わる放射線撮影システムを適用したＸ線撮影システム１０の一例を示す図。
【図２】図１に示すＸ線撮影制御部２５の機能的な構成の一例を示す図。
【図３】撮影プロトコル変更画面の一例を示す図。
【図４】図１に示すＸ線撮影装置２０の動作の一例を示すフローチャート。
【図５】実施形態２に係わるＸ線撮影制御部２５の機能的な構成の一例を示す図。
【図６】実施形態２に係わるＸ線撮影装置２０の動作の一例を示すフローチャート。
【図７】実施形態３に係わるＸ線撮影制御部２５の機能的な構成の一例を示す図。
【図８】実施形態３に係わるＸ線撮影装置２０の動作の一例を示すフローチャート。
【発明を実施するための形態】
【００１２】
以下、本発明に係わる放射線撮影装置及びその処理方法の一実施の形態について添付図面を参照して詳細に説明する。なお、以下に示す実施形態においては、放射線としてＸ線を適用した場合を例に挙げて説明するが、放射線は、Ｘ線に限られず、例えば、電磁波やα線、β線、γ線などであってもよい。
【００１３】
（実施形態１）
図１は、本発明の一実施の形態に係わる放射線撮影システムを適用したＸ線撮影システム１０の一例を示す図である。
【００１４】
Ｘ線撮影システム１０は、ＲＩＳ端末１１と、ＰＡＣＳ端末１２と、ビューワー端末１３と、プリンタ１４と、Ｘ線撮影装置２０とを具備して構成される。これら装置は、例えば、ネットワーク等の通信手段１５を介して接続されている。
【００１５】
ＲＩＳ端末１１は、放射線部門内の情報システムである。Ｘ線撮影装置２０は、Ｘ線デジタル画像（以下、撮影画像と呼ぶ）を撮影する。ＰＡＣＳ端末１２は、Ｘ線撮影装置２０により撮影された撮影画像を保存・管理する。ビューワー端末１３及びプリンタ１４は、診断用画像を出力（表示又は印刷）する。
【００１６】
Ｘ線撮影装置２０は、複数の撮影プロトコルから構成される検査オーダに基づいて検査（撮影）を進行する。撮影プロトコル各々は、撮影条件や、撮影画像に対して実施する画像処理の内容等が規定される。より詳細には、撮影時や画像処理時等の各種パラメータ情報、センサ情報、撮影実施情報等が含まれる。
【００１７】
ここで、Ｘ線撮影装置２０は、撮影部２８と、Ｘ線発生制御部２４と、Ｘ線撮影制御部２５と、表示部２６と、操作部２７とを具備して構成される。
【００１８】
撮影部２８は、Ｘ線管球２１と、センサユニット２２と、センサ２３とを具備して構成される。ここで、Ｘ線管球２１は、放射線発生部として機能し、被写体（すなわち、被検者）に向けてＸ線を照射する。Ｘ線発生制御部２４は、撮影プロトコルに基づくＸ線の発生を制御する。具体的には、撮影プロトコルに対応する撮影条件（例えば、管電流、管電圧、照射時間等のパラメータ）に基づいて、Ｘ線管球２１に電圧を印加し、Ｘ線を発生させる。
【００１９】
センサ２３は、放射線検出部として機能し、被検者を透過したＸ線を検出する。センサユニット２２は、センサ２３により検出された被検者の透過Ｘ線量に相当する電荷をＡ／Ｄ変換し、それを撮影画像としてＸ線撮影制御部２５へ転送する。Ｘ線撮影制御部２５は、撮影プロトコルに基づいたＸ線撮影処理を統括制御する。Ｘ線撮影制御部２５は、例えば、撮影画像に対して画像処理（例えば、補正処理、階調処理、周波数処理等）を施す。画像処理は、撮影時の撮影プロトコルに対応する画像処理パラメータを用いて行なわれる。
【００２０】
表示部２６は、例えば、ディスプレイ等で構成され、操作者に向けてシステム状態等を表示する。表示部２６には、例えば、ＲＩＳ端末１１から受信した検査オーダ（又は操作者が作成した検査オーダ）が表示される。操作部２７は、例えば、キーボードやマウス、又は各種ボタン等で構成され、操作者からの指示を装置内に入力する。操作部２７においては、例えば、変更元及び変更先の撮影プロトコルの指定を装置内に入力する。
【００２１】
ここで、図２を用いて、図１に示すＸ線撮影制御部２５の機能的な構成の一例について説明する。
【００２２】
Ｘ線撮影制御部２５は、検査情報管理部３１と、検査情報保持部３８と、変更元指定部３４と、変更先指定部３５と、撮影プロトコル変更部３０と、撮影制御部３７と、画像処理部３６とを具備して構成される。
【００２３】
画像処理部３６は、撮影画像に対して画像処理を実施する。上述した通り、この画像処理は、撮影プロトコルに対応する画像処理パラメータを用いて行なわれる。
【００２４】
変更元指定部３４は、実行中の検査オーダに含まれる撮影プロトコルの中から変更対象（変更元）の撮影プロトコルを指定する。変更先指定部３５は、実行中の検査オーダに含まれる撮影プロトコルの中から変更対象（変更先）の撮影プロトコルを指定する。なお、変更元指定部３４及び変更先指定部３５による指定は、操作部２７を介した操作者からの指示に基づいて行なわれる。
【００２５】
検査情報管理部３１は、ＲＩＳ端末１１から取得した（又は操作者が手動で作成した）検査オーダに基づいて、実行中の検査に関する各種情報を管理する。検査情報管理部３１は、検査情報取得部３２と、検査情報更新部３３とを具備して構成される。検査情報取得部３２は、実行中の検査情報を検査情報保持部３８から取得し、検査情報更新部３３は、検査情報保持部３８に保持された検査情報を更新する。
【００２６】
撮影プロトコル変更部３０は、撮影画像と撮影プロトコルとの対応関係を変更させる。具体的には、変更元指定部３４により指定された変更元の撮影プロトコルに基づいて撮影された画像（画像処理前）を、変更先指定部３５により指定された変更先の撮影プロトコルに対応付ける。これにより、当該画像に対しては、変更先の撮影プロトコルに対応する画像処理パラメータを用いた画像処理が施されることになる。
【００２７】
撮影制御部３７は、撮影プロトコルに基づいた撮影を制御する。例えば、撮影プロトコル変更部３０により撮影プロトコルの変更がなされた場合には、当該変更後の撮影プロトコルに基づいた撮影の実行を制御する。
【００２８】
ここで、図３（ａ）及び（ｂ）は、撮影プロトコル変更画面の一例を示している。図３（ａ）は、撮影プロトコル変更前の画面４１を示し、図３（ｂ）は、撮影プロトコル変更後の画面４８を示している。図３（ａ）及び（ｂ）には、被検者情報を表示する被検者情報表示領域４３と、撮影画像を表示するプレビュー画像表示領域４７とが設けられる。更に、プレビュー中の撮影画像の画像処理パラメータの調整を指示する画像調整ボタン４５と、検査の終了を指示する検査終了ボタン４６とも設けられる。また、実行中の検査オーダの情報を示す検査オーダ表示領域４４が設けられる。検査オーダ表示領域４４には、複数の撮影プロトコルボタン４１０が設けられる。
【００２９】
撮影プロトコルボタン４１０には、撮影画像のサムネイルを表示するサムネイル表示領域４１１と、撮影部位の名称を表示する名称表示領域４１２と、立位や臥位などのセンサタイプの情報を表示するセンサタイプ表示領域４１３と設けられる。また、撮影プロトコルボタン４１０は、撮影済み状態（プレビュー中）、撮影準備中状態、撮影可能状態等の状態も示す。その他、図３（ａ）及び（ｂ）に示す画面には、実行中の撮影プロトコルに関するセンサの状態を示すセンサ状態表示領域４２も設けられる。なお、図３（ａ）及び（ｂ）に示す画面では、文字により状態が示されているが、例えば、ボタンの色を変えたり、アニメーション表示を行なったりするなど、ＧＵＩで状態を示すようにしてもよい。
【００３０】
ここで、実施形態１に係わる処理の流れの一例について具体例を挙げる。胸部Ａ−Ｐ撮影プロトコル４１４を指定した状態で胸部Ｒ−Ｌを撮影してしまったとする。この場合、撮影方向が誤っており、本来、胸部Ａ−Ｐ撮影時に実施される画像処理が、胸部Ｒ−Ｌの撮影画像に対してなされてしまう。
【００３１】
そこで、操作者は、撮影プロトコルを適正にするため、操作部２７を介して、変更元撮影プロトコルとして胸部Ａ−Ｐ撮影プロトコル４１４を指定する。また、操作者は、操作部２７を介して、その変更先として、検査オーダ表示領域４４の中から胸部Ｒ−Ｌ撮影プロトコル４１５を指定する。
【００３２】
これを受けたＸ線撮影装置２０は、撮影プロトコル変更部３０において、撮影プロトコル変更後の画面４８に示すように、胸部Ｒ−Ｌ撮影プロトコル４１７に当該撮影した画像を対応付ける。これにより、胸部Ｒ−Ｌ撮影プロトコルボタン４１７上に当該撮影した画像のサムネイル画像が表示される。また、Ｘ線撮影装置２０は、画像処理部３６において、胸部Ｒ−Ｌ撮影プロトコル４１７に対応した画像処理パラメータを用いて、画像処理をやり直す。その後、Ｘ線撮影装置２０は、プレビュー画像表示領域４７のプレビュー画像を更新する。変更元のＡ−Ｐ撮影プロトコル４１６は、撮影準備中（すなわち、未撮影状態）に遷移し、変更先のＲ−Ｌ撮影プロトコル４１７は、撮影済み状態に遷移する。また、センサ状態表示領域４２は、撮影可能状態に遷移し、再度撮影が可能となる。
【００３３】
なお、変更元及び変更先となる撮影プロトコルの指定の仕方は、特に問わない。例えば、サムネイル画像や撮影プロトコルボタンをドラッグ・アンド・ドロップ、又はプレビュー画像表示領域４７から変更先撮影プロトコルボタンへドラッグ・アンド・ドロップ等することにより行なわれる。また、実行中の検査に検査オーダが複数存在する場合は、検査オーダを跨いで変更先の撮影プロトコルを指定できてもよい。
【００３４】
次に、図４を用いて、図１に示すＸ線撮影装置２０における動作の一例について説明する。
【００３５】
検査オーダに基づく撮影が開始すると、操作者（例えば、放射線技師）は、まず、照射ボタンを押下する。すると、Ｘ線撮影装置２０は、Ｘ線管球２１において、被写体に向けてＸ線を照射するとともに、センサ２３において、当該被写体を透過したＸ線を検出する。この結果得られた撮影画像は、Ｘ線撮影制御部２５において、補正処理や階調処理、周波数処理等の画像処理が施される。
【００３６】
その後、当該処理された撮影画像が表示部２６に表示されると、操作者は、当該画像の確認を行なう。確認の結果、操作者が、撮影プロトコルの間違いに気付いたとする。ここで、操作者は、当該間違いを正すため、操作部２７を介して変更の指示を入力する。具体的には、操作者は、変更元及び変更先となる撮影プロトコルを指定する。すると、Ｘ線撮影装置２０は、変更元指定部３４において、操作者の指示に基づく撮影プロトコルを指定する。すなわち、変更元となる撮影済みの撮影プロトコルが指定される。Ｘ線撮影装置２０は、検査情報取得部３２において、当該指定された撮影プロトコルの情報を検査情報保持部３８から取得し、それを撮影プロトコル変更部３０に通知する（Ｓ１０１）。なお、撮影プロトコルの情報には、例えば、撮影時や画像処理時等の各種パラメータ情報、センサ情報、撮影実施情報等が含まれる。
【００３７】
次に、Ｘ線撮影装置２０は、変更先指定部３５において、操作者の指示に基づいて、実行中の検査オーダ内から変更先の撮影プロトコルを指定する。そして、検査情報取得部３２において、当該指定された撮影プロトコルの情報を検査情報保持部３８から取得し、それを撮影プロトコル変更部３０に通知する（Ｓ１０２）。
【００３８】
ここで、Ｘ線撮影装置２０は、撮影プロトコル変更部３０において、変更先指定部３５により指定された撮影プロトコルを用いた撮影が実施済みであるか否かを判断する。この判断は、Ｓ１０２で取得した情報に基づいて行なわれる。判断の結果、当該撮影プロトコルを用いた撮影が未実施であれば（Ｓ１０３でＮＯ）、Ｘ線撮影装置２０は、撮影プロトコル変更部３０において、変更先に指定された撮影プロトコルに変更元の撮影プロトコルに基づいて撮影された画像を対応付ける（Ｓ１０４）。そして、Ｘ線撮影装置２０は、検査情報更新部３３において、検査情報保持部３８に保持された情報を更新する（Ｓ１０４）。Ｘ線撮影装置２０は、画像処理部３６において、変更先の撮影プロトコルに対応する画像処理パラメータを用いて、変更元の撮影プロトコルに基づいて撮影された画像（画像処理前の画像）に対して画像処理を再実行する（Ｓ１０５）。その後、Ｘ線撮影装置２０は、プレビュー画像を更新して表示部２６に表示する。また、Ｘ線撮影装置２０は、撮影プロトコル変更部３０において、変更元の撮影プロトコルに基づく撮影の状態を撮影準備中（未撮影状態）に遷移させるとともに、変更先の撮影プロトコルに基づく撮影の状態を撮影済み状態に遷移させる。このとき、センサによる撮影の準備状態も、撮影可能状態に遷移させる。この状態遷移は、図３で説明した通り、表示部２６に表示される。（Ｓ１０６）。
【００３９】
また、Ｓ１０３における判断の結果、変更先の撮影プロトコルに基づく撮影が実施済みであった場合（Ｓ１０３でＹＥＳ）、Ｘ線撮影装置２０は、撮影プロトコル変更部３０において、変更元及び変更先の撮影プロトコルに対応付けられた画像をそれぞれ入れ替える。そして、検査情報更新部３３において、検査情報保持部３８に保持された情報を更新する（Ｓ１０７）。また、Ｘ線撮影装置２０は、画像処理部３６において、変更元及び変更先の撮影プロトコルに対応する画像処理パラメータ各々を用いて、それら撮影プロトコルに基づいて撮影された画像（画像処理前の画像）各々に対して画像処理を再実行する（Ｓ１０８）。その後、Ｘ線撮影装置２０は、プレビュー画像を更新して表示部２６に表示する（Ｓ１０９）。
【００４０】
以上説明したように実施形態１によれば、検査オーダに基づく撮影の実行時に誤った撮影プロトコルを用いて撮影を行なってしまった場合であっても、容易に対処することができる。また、誤って撮影を行なってしまった撮影プロトコルを用いた再撮影も容易に行なえる。これにより、検査オーダに基づく撮影の実行時に誤った撮影プロトコルを用いて撮影を行なってしまった場合であっても、操作者に過度の負担をかけずに済む。
【００４１】
（実施形態２）
次に、実施形態２について説明する。実施形態２においては、撮影プロトコルの変更時に変更条件を設ける場合を例に挙げて説明する。
【００４２】
図５は、実施形態２に係わるＸ線撮影制御部２５の機能的な構成の一例について説明する。なお、実施形態１を説明した図２と同じ構成のものには、同じ符号を付している。
【００４３】
変更条件入力部５２は、操作部２７を介した操作者からの指示に基づいて、変更条件を入力する。変更条件保持部５６は、撮影プロトコルに対応してその変更条件を保持し、変更条件管理部５３は、当該撮影プロトコル各々に対応した変更条件を管理する。変更条件管理部５３は、変更条件登録部５４と、変更条件取得部５５とを具備して構成される。変更条件登録部５４は、変更条件入力部５２により入力された変更条件を変更条件保持部５６に登録する。変更条件取得部５５は、変更条件保持部５６に保持された変更条件を取得する。変更条件保持部５６に保持される変更条件は、例えば、Ｘ線発生に関する情報（例えば、管電流、管電圧、照射時間等）、センサの種類やタイプ（立位・臥位等）等を示すセンサ情報、画像処理に関する情報、グリッドに関する情報等が挙げられる。
【００４４】
変更制御部５１は、変更条件を満たしているか否かを判断する変更条件判断部５０と、当該判断に基づいて変更処理を行なう撮影プロトコル変更部３０とを具備して構成される。
【００４５】
図６は、実施形態２に係わるＸ線撮影装置２０における動作の一例について説明する。ここでは、説明の便宜上、撮影プロトコルの変更条件が予め設定されているものとして説明する。
【００４６】
検査オーダに基づく撮影が開始している。そして、操作者は、撮影画像の確認の結果、操作者が、撮影プロトコルの間違いに気付いたとする。操作者は、当該間違いを正すため、操作部２７を介して変更の指示を入力する。具体的には、操作者は、変更元及び変更先となる撮影プロトコルを指定する。すると、Ｘ線撮影装置２０は、変更元指定部３４において、当該操作者の指示に基づく撮影プロトコルを指定する。すなわち、変更元となる撮影済みの撮影プロトコルが指定される。Ｘ線撮影装置２０は、検査情報取得部３２において、当該指定された撮影プロトコルの情報を検査情報保持部３８から取得する（Ｓ２０１）。上述した通り、撮影プロトコルの情報には、例えば、撮影時や画像処理時等の各種パラメータ情報、センサ情報、撮影実施情報等が含まれる。
【００４７】
次に、Ｘ線撮影装置２０は、変更先指定部３５において、操作者の指示に基づいて、実行中の検査オーダの中から変更先の撮影プロトコルを指定する。そして、検査情報取得部３２において、当該指定された撮影プロトコルの情報を検査情報保持部３８から取得する（Ｓ２０２）。
【００４８】
ここで、Ｘ線撮影装置２０は、変更条件取得部５５において、変更条件保持部５６に保持された変更条件を取得する（Ｓ２０３）。そして、変更条件判断部５０において、Ｓ２０２で取得した変更先の撮影プロトコルが変更条件を満たしているか否かをチェックする。チェックの結果、変更条件が満たされていない場合（Ｓ２０４でＮＯ）、当該変更処理は禁止される。一方、変更条件が満たされている場合には（Ｓ２０４でＹＥＳ）、以降、実施形態１同様の処理を実施する。具体的には、図４のＳ１０３以降の処理を実施する。
【００４９】
ここで、実施形態２に係わる処理の流れの一例について具体例を挙げる。放射線技師は、システム設定画面等において、変更条件としてセンサタイプの一致等を設定しておく。ここで、例えば、変更前の撮影プロトコルに基づく撮影のタイプが立位であり、変更先の撮影プロトコルに基づく撮影のタイプが仰臥位であれば、当該変更は条件を満たさないため、禁止されることになる。変更を禁止する旨の通知には、例えば、撮影プロトコルボタン上への禁止アイコンの表示や、メッセージの表示等を用いればよい。また、変更条件としては、例えば、Ｘ線の照射時間や管電圧、管電流、線量等が挙げられる他、センサ条件等も挙げられる。なお、これら条件を同時に複数設定することもできる。
【００５０】
以上説明したように実施形態２によれば、実施形態１の効果に加えて更に、意図しない撮影プロトコルへの変更を禁止できる。これにより、操作者の変更ミスを防止できるため、スムーズな検査進行が可能になる。
【００５１】
（実施形態３）
次に、実施形態３について説明する。実施形態３においては、撮影プロトコルを変更した後、変更元の撮影プロトコルの情報を変更先の撮影プロトコルへ引き継ぐ場合を例に挙げて説明する。
【００５２】
図７は、実施形態３に係わるＸ線撮影制御部２５の機能的な構成の一例について説明する。なお、実施形態１及び２を説明した図２及び図５と同じ構成のものには、同じ符号を付している。
【００５３】
引継情報設定部６２は、撮影プロトコルに関連する情報の内、いずれの情報を引き継ぐかを設定する。この設定は、操作部２７を介した操作者からの指示に基づいて行なわれる。なお、引継情報とは、例えば、Ｘ線発生に関する情報（例えば、管電流、管電圧、照射時間等）、センサの種類やタイプ（立位・臥位等）等を示すセンサ情報、画像処理に関する情報、グリッドに関する情報等が挙げられる。例えば、グリッドの有無や、グリッドの種類など撮影時の条件に依存する画像処理に関連する情報を含む。
【００５４】
引継情報保持部６６は、撮影プロトコルに対応してその引継情報を保持し、引継情報管理部６３は、当該撮影プロトコル各々に対応した引継情報を管理する。引継情報管理部６３は、引継情報登録部６４と、引継情報取得部６５とを具備して構成される。引継情報登録部６４は、引継情報設定部６２により設定された引継情報に対応する情報を引継情報保持部６６に登録する。引継情報取得部６５は、引継情報保持部６６に保持された引継情報を取得する。また、変更制御部５１には、引継情報の有無をチェックし、その結果に基づいて引継情報の反映処理を実施する引継情報反映部６０が更に設けられる。
【００５５】
図８は、実施形態３に係わるＸ線撮影装置２０における動作の一例について説明する。ここでは、説明の便宜上、撮影プロトコルの引継情報が予め設定されているものとして説明する。
【００５６】
検査オーダに基づく撮影が開始している。そして、操作者は、撮影画像の確認の結果、操作者が、撮影プロトコルの間違いに気付いたとする。操作者は、当該間違いを正すため、操作部２７を介して変更の指示を入力する。具体的には、操作者は、変更元及び変更先となる撮影プロトコルを指定する。すると、Ｘ線撮影装置２０は、変更元指定部３４において、当該操作者の指示に基づく撮影プロトコルを指定する。すなわち、変更元となる撮影済みの撮影プロトコルが指定される。Ｘ線撮影装置２０は、検査情報取得部３２において、当該指定された撮影プロトコルの情報を検査情報保持部３８から取得する（Ｓ３０１）。上述した通り、撮影プロトコルの情報には、例えば、撮影時や画像処理時等の各種パラメータ情報、センサ情報、撮影実施情報等が含まれる。
【００５７】
次に、Ｘ線撮影装置２０は、変更先指定部３５において、当該操作者の指示に基づいて、実行中の検査オーダの中から変更先の撮影プロトコルを指定する。そして、検査情報取得部３２において、当該指定された撮影プロトコルの情報を検査情報保持部３８から取得する（Ｓ３０２）。
【００５８】
ここで、Ｘ線撮影装置２０は、引継情報取得部６５において、引継情報保持部６６から変更元の撮影プロトコルに関連する引継情報を取得する（Ｓ３０３）。そして、引継情報反映部６０において、Ｓ３０２で取得した引継情報があるか否かをチェックする。引継情報がなければ（Ｓ３０４でＹＥＳ）、以降、実施形態１同様の処理を実施する。具体的には、図４のＳ１０３以降の処理を実施する。一方、引継情報があれば（Ｓ３０４でＮＯ）、当該引継情報を変更先の撮影プロトコルへ反映した後、実施形態１同様の処理を実施する。
【００５９】
ここで、実施形態３に係わる処理の流れの一例について具体例を挙げる。放射線技師は、システム設定画面等において、引継情報等を設定しておく。ここで、引継情報が、例えば、グリッド情報であるとする。この状態において、放射線技師が、胸部Ａ−Ｐ撮影プロトコル４１４を指定した状態で誤って胸部Ｒ−Ｌを撮影したとする。撮影プロトコルと撮影方向とが不一致である。そのため、本来、胸部Ａ−Ｐ撮影時に実施される画像処理が、胸部Ｒ−Ｌの撮影画像に対してなされてしまっている。そこで、操作者は、撮影プロトコルを適正にするため、操作部２７を介して、変更元撮影プロトコルとして胸部Ａ−Ｐ撮影プロトコル４１４を指定する。また、操作者は、操作部２７を介して、その変更先として、検査オーダ表示領域４４の中から胸部Ｒ−Ｌ撮影プロトコル４１５を指定する。このとき、引継情報反映部６０は、変更元の胸部Ａ−Ｐ撮影プロトコル４１４におけるグリッド有りの設定を、変更先の胸部Ｒ−Ｌ撮影プロトコル４１５に反映する。
【００６０】
以上説明したように実施形態３によれば、変更元の撮影プロトコルの情報を変更先の撮影プロトコルへ引き継ぐ。これにより、例えば、撮影プロトコルの変更後に画像処理の調整を行なう手間が省くことができるため、変更に伴う操作者の負担を軽減することができる。
【００６１】
以上が本発明の代表的な実施形態の一例であるが、本発明は、上記及び図面に示す実施形態に限定することなく、その要旨を変更しない範囲内で適宜変形して実施できるものである。例えば、上記実施形態２及び３で説明した構成を組み合わせて実施しても構わない。
【００６２】
また、本発明は、例えば、システム、装置、方法、プログラム若しくは記憶媒体等としての実施態様を採ることもできる。具体的には、複数の機器から構成されるシステムに適用してもよいし、また、一つの機器からなる装置に適用してもよい。
【００６３】
（その他の実施形態）
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
0005474249.tif 000002
【図２】
0005474249.tif 000003
【図３】
0005474249.tif 000004
【図４】
0005474249.tif 000005
【図５】
0005474249.tif 000006
【図６】
0005474249.tif 000007
【図７】
0005474249.tif 000008
【図８】
0005474249.tif 000009